(57)【要約】【課題】駆動手段を小形コンパクト化し部品数の削減と低コスト化した厨芥処理機を提供する。【解決手段】厨芥を収納する収納容器５０と、前記収納容器５０内の厨芥を撹拌する撹拌手段（５１、５２）と、前記撹拌手段（５１、５２）を駆動させる駆動手段とを備え、前記駆動手段をウォームギヤ（図示せず）と駆動モータ６８で構成した厨芥処理機で、駆動モータ６８の出力トルクは軽減されるため、汎用の小形モータが採用でき、駆動手段は小形コンパクト化と部品数の削減とで低コスト化となる。【選択図】図３
2005111360.tif 000002
【特許請求の範囲】
【請求項１】
厨芥を収納する収納容器と、前記収納容器内の厨芥を撹拌する撹拌手段と、前記撹拌手段を駆動させる駆動手段とを備え、前記駆動手段をウォームギヤと駆動モータで構成した厨芥処理機。
【請求項２】
ウォームギヤは、駆動モータの出力軸に配置したウォームと、前記ウォームに略直交するウォームホイ−ルから構成されるとともに、前記ウォームホイ−ルに回転軸の一端側を固定して設け、前記回転軸の他端側を、撹拌手段と連結させる請求項１記載の厨芥処理機。
【請求項３】
駆動モータは、ウォームを有する出力軸を備え、前記出力軸はモータに内蔵された玉軸受のみで回転軸支されてなる請求項１または２記載の厨芥処理機。
【請求項４】
駆動モータは、ウォームを有する出力軸と、前記出力軸を支持する玉軸受と、前記玉軸受に与圧を付与するワッシャ−と、前記ワッシャ−の全圧縮を防止するための全圧縮防止手段とから構成される請求項１〜３のいずれか１項に記載の厨芥処理機。
【請求項５】
駆動モータは、ウォームを有する出力軸と、前記出力軸を支持する玉軸受と、前記玉軸受を保持する保持ブラケットと、前記保持ブラケットの抜け防止のための抜け防止ブラケットとから構成される請求項１〜４のいずれか１項に記載の厨芥処理機。
【請求項６】
駆動モータは、ウォームと出力軸とを有し、前記出力軸の一端側を治具にて固定し、前記出力軸の他端側から前記ウォームを挿入して、前記ウォームと前記出力軸とを連結する請求項１〜５のいずれか１項に記載の厨芥処理機。
【請求項７】
ウォームギヤの収設ケ−スを合成樹脂製とした請求項１〜６のいずれか１項に記載の厨芥処理機。
【請求項８】
収設ケ−スに、ウォームホイ−ルを挿着できる開口を設け、前記開口を蓋体で閉鎖した請求項７記載の厨芥処理機。
【請求項９】
収設ケ−スまたは蓋体に、外部との連通部を設けた請求項８記載の厨芥処理機。
【発明の詳細な説明】
【技術分野】
【０００１】
本発明は、収納容器内の厨芥を撹拌する撹拌手段を駆動させる駆動手段を備えた厨芥処理機に関するものである。
【背景技術】
【０００２】
従来、この種の駆動手段は駆動モータの回転をベルトや歯車により減速させて撹拌手段を駆動させている（例えば、特許文献１参照）。
【０００３】
図４は、特許文献１に記載された従来の厨芥処理機の断面図を示すものである。図４に示すように、モータ８の回転をプーリー９とベルト１０、および小ギヤ１１と大ギヤ１２とにより減速させて回転軸７に伝達させ、この回転軸７は厨芥を収納する収納容器１の底面から突き出たセンター軸４に回転自在に接続され、このセンタ−軸４に固定した回転刃３を回転させ収納容器１の内壁に設けた固定刃２とで厨芥を粉砕、撹拌させるように構成されている。
【特許文献１】特開平１１−１１４５２２号公報
【発明の開示】
【発明が解決しようとする課題】
【０００４】
しかしながら、前記従来の構成では、厨芥を粉砕および撹拌する回転刃３の回転は毎秒数回転以下の低速回転が必要でこれを得るためベルト減速と歯車減速を併用し、かつ平面スペースが大きくなり本体内に配置できないため上下２段に配置している。このベルト減速ではスリップ防止のためプーリー９の接触角をできるだけ大きく設定する必要から軸間距離を大きくしたり、ベルトを歯付きベルトにしたり、アイドラープーラープーリーを用いたりしている。また、歯車減速では騒音の低減のため高精度を必要としていた。そのため、駆動手段として小形コンパクト化や部品数の削減、低コスト化に対する課題を有していた。
【０００５】
本発明は、従来の課題を解決するもので、駆動手段を小形コンパクト化し部品数の削減と低コスト化した厨芥処理機を提供することを目的とする。
【課題を解決するための手段】
【０００６】
前記従来の課題を解決するために本発明は、厨芥を収納する収納容器と、前記収納容器内の厨芥を撹拌する撹拌手段と、前記撹拌手段を駆動させる駆動手段とを備え、前記駆動手段をウォームギヤと駆動モータで構成した厨芥処理機で、減速は駆動モータのウォームと、これと噛合うウォームホイールとの一対のウォームギヤによって、容易に大幅な減速比が得られることから、駆動モータの出力トルクは軽減されるため、汎用の小形モータが採用でき、駆動手段は小形コンパクト化と部品数の削減とで低コスト化となる。
【発明の効果】
【０００７】
本発明によれば、小形コンパクト化し部品数の削減と低コスト化した厨芥処理機を提供することができる。
【発明を実施するための最良の形態】
【０００８】
第１の発明は、厨芥を収納する収納容器と、前記収納容器内の厨芥を撹拌する撹拌手段と、前記撹拌手段を駆動させる駆動手段とを備え、前記駆動手段をウォームギヤと駆動モータで構成した厨芥処理機で、減速は駆動モータのウォームと、これと噛合うウォームホイールとの一対のウォームギヤとによって、容易に大幅な減速比が得られることから、駆動モータの出力トルクは軽減されるため、汎用の小形モータが採用でき、駆動手段は小形コンパクト化と部品数の削減とで低コスト化となる。
【０００９】
第２の発明は、ウォームギヤは、駆動モータの出力軸に配置したウォームと、前記ウォームに略直交するウォームホイールから構成されるとともに、前記ウォームホイールに回転軸の一端側を固定して設け、前記回転軸の他端側を、撹拌手段と連結させるもので、小形コンパクトな駆動手段を提供することができる。
【００１０】
第３の発明は、駆動モータは、ウォームを有する出力軸を備え、前記出力軸はモータに内蔵された玉軸受のみで回転軸支されてなるもので、さらに軸受を設けることなく低コスト化することができる。
【００１１】
第４の発明は、駆動モータは、ウォームを有する出力軸と、前記出力軸を支持する玉軸受と、前記玉軸受に与圧を付与するワッシャーと、前記ワッシャーの全圧縮を防止するための全圧縮防止手段とから構成されるもので、ウォームに作用するスラスト荷重を受ける全圧縮防止手段を配置したので、汎用の小形モータが採用でき、駆動手段は小形コンパクト化と部品数の削減とで低コスト化にすることができる。
【００１２】
第５の発明は、駆動モータは、ウォームを有する出力軸と、前記出力軸を支持する玉軸受と、前記玉軸受を保持する保持ブラケットと、前記保持ブラケットの抜け防止のための抜け防止ブラケットとから構成されるもので、汎用モータを専用化することなく採用でき低コスト化することができる。
【００１３】
第６の発明は、駆動モータは、ウォームと出力軸とを有し、前記出力軸の一端側を治具にて固定し、前記出力軸の他端側から前記ウォームを挿入して、前記ウォームと前記出力軸とを連結するもので、ウォーム圧入固定が容易となり正確に圧入することができる。
【００１４】
第７の発明は、ウォームギヤの収設ケースを合成樹脂製としたもので、安価にすることができる。
【００１５】
第８の発明は、収設ケースに、ウォームホイールを挿着できる開口を設け、前記開口を蓋体で閉鎖したもので、組立性の良い駆動手段を提供することができる。
【００１６】
第９の発明は、収設ケースまたは蓋体に、外部との連通部を設けたもので、温度変化で内圧が上昇することがなくなり、内部の潤滑剤の蓋体部分からの漏れを阻止することができる。
【００１７】
以下、本発明の実施の形態について、図面を参照しながら説明する。なお、この実施の形態によって本発明が限定されるものではない。
【００１８】
（実施の形態１）
図１は、本発明の一実施の形態における駆動手段の平面一部断面図、図２は同駆動手段の要部部分断面図、図３は同厨芥処理機の部分断面図を示すものである。
【００１９】
図１、図２および図３において、５０は厨芥を収納する収納容器で、この収納容器５０内には厨芥を粉砕、撹拌する手段として固定刃５１、回転刃５２を設けている。固定刃５１は厨芥の収納容器５０の内壁に設けられ、回転刃５２は厨芥の収納容器５０の底面から突出したセンター軸５３に固定されている。５４は収納容器５０をセットする外容器である。センター軸５３下端には回転軸５５に固定したカップリング５６と着脱自在に連結されるカップリング受け５７が配置されている。５８はポリエチレンテレフタレート等の機械的強度を有する合成樹脂で形成された収設ケースで、同様に合成樹脂で形成された蓋体５９とで回転軸５５に固定したウォームホイール６０を内設している。
【００２０】
このウォームホイール６０は、ポリアセタール等の合成樹脂で形成され回転軸５５に形成したＤカット或いはＨカット等の廻り止め部６１に挿通され、廻り止め金具６２を介してトメワ６３で支持される。６４および６５は軸受メタルで回転軸５５を軸支し、上方にはオイルシール６６を配置して密封している。６７はウォームホイール６０と直交配置されたウォームで、駆動モータ６８の出力軸６９の圧入固定側７０に圧入され、他端はウォーム６７の圧入時の治具に挿入させる突出部７１としている。
【００２１】
そしてウォームホイール６０とウォーム６７の噛合い部には、グリース等の潤滑剤を塗布している。駆動モータ６８の出力軸６９は２個の玉軸受７２で回転支持されるとともに、玉軸受７２の隙間をなくし静粛な回転を得るため波ワッシャー７３を配置して、玉軸受７２に与圧を付与している。
【００２２】
この波ワッシャー７３で付与する与圧荷重は、一般的に５０Ｎ程度までで、これ以上の荷重が軸方向に加わると波ワッシャー７３は全圧縮する。駆動モータ６８が正逆回転すると、出力軸６９にはウォーム６７によるスラスト力が作用する。このスラスト力は、波ワッシャー７３で付与する与圧荷重より大で、全圧縮を繰り返すと波ワッシャー７３はヘタリ、ついには破壊し本来の与圧付与機能を失うためウォーム６７の端部に鋼球７４および収設ケース５８に鋼球受け７５を配置して、波ワッシャー７３の全圧縮を阻止するようにしている。
【００２３】
駆動モータ６８は収設ケース５８に取付け固定しているが、玉軸受７２の保持ブラケット７６にもウォーム６７によるスラスト力が作用するため、出力軸６９の他端突出部７１側の保持ブラケット７６には抜け防止ブラケット７７を配置固定している。
【００２４】
蓋体５９の中心部に段状の突出部７８を形成して、取付け基板７９の穴８０に挿入して上方からの荷重に対して収設ケース５８および蓋体５９の変形を阻止し、且つ取付けの位置決めとして基板への組付けを容易にする。
【００２５】
穴８０のバーリング状係止部８１は、段状の突出部７８を保持して駆動モータ６８の重さで駆動手段が倒れるのを防止し、取付け基板７９への組付けを容易にさせている。８２は収設ケース５８に設けた外気との連通孔で、蓋体５９に設けてもよい。この連通孔８２で、温度変化による収設ケース５８内の内圧が上昇することなく、内部の潤滑剤の蓋体５９部分からの漏れを阻止する。収設ケース５８の上方には、支持面８３を形成し外容器５４の底面８４を支持する。
【００２６】
以上のように構成された厨芥処理機について、以下その動作、作用を説明する。
【００２７】
まず、駆動モータ６８を駆動するとウォーム６７と噛合うウォームホイール６０が回転し、回転軸５５に固定したカップリング５６と着脱自在に連結されるカップリング受け５７からセンター軸５３に固定された回転刃５２を回転させ、収納容器５０内に設けた固定刃５１とで収納容器５０内の厨芥を粉砕、撹拌させる。
【００２８】
この駆動モータ６８は、運転制御装置（図示せず）により、正回転および逆回転を間欠的に行うように回転制御され、乾燥手段（図示せず）、送風手段（図示せず）、脱臭手段（図示せず）などとともに運転制御されている。
【００２９】
ウォーム６７にかかる軸方向のスラスト力に対して鋼球７４で波ワッシャー７３の全圧縮を阻止し、逆回転時には抜け防止ブラケット７７で玉軸受７２の保持ブラケット７６の抜けを阻止する。ウォーム６７とウォームホイール６０とで得られる減速比は、従来ベルトや歯車減速での減速比の数倍が得られるため、駆動モータ６８は従来の駆動モータの数分の一の出力トルクでよく、駆動モータ６８は小型の汎用品を使用でき、また周知のように静粛な減速手段となる。減速手段が小型コンパクトになり機器内への配置スぺースが小さく機器の小型化にもなる。
【００３０】
以上のように、本実施の形態では収納容器５０内の厨芥を撹拌する撹拌手段と、この撹拌手段を駆動させるウォームギヤと駆動モータ６８で構成した駆動手段を備えた厨芥処理機とすることにより、減速は駆動モータ６８のウォーム６７とこれと噛合うウォームホイール６０との一対のウォームギヤによって容易に大幅な減速比が得られるため、駆動モータ６８の出力トルクは軽減され、汎用の小形モータが採用できるものとなり、駆動手段は小形コンパクト化と部品数の削減とで低コスト化することができる。
【産業上の利用可能性】
【００３１】
以上のように、本発明にかかる厨芥処理機は、小形コンパクト化し部品数の削減と低コスト化が可能となるので、家庭用、業務用問わず、すべての撹拌手段を有する厨芥処理機に有用である。
【図面の簡単な説明】
【００３２】
【図１】本発明の実施の形態１における駆動手段の平面一部断面図
【図２】同駆動手段の要部部分断面図
【図３】同厨芥処理機の部分断面図
【図４】従来の厨芥処理機の断面図
【符号の説明】
【００３３】
５０  収納容器
５１  固定刃（撹拌手段）
５２  回転刃（撹拌手段）
５４  外容器
５５  回転軸
５８  収設ケース
５９  蓋体
６０  ウォームギヤを構成するウォームホイール
６７  ウォームギヤを構成するウォーム
６８  駆動モータ
７２  玉軸受
７３  波ワッシャー
７４  鋼球（全圧縮防止手段）
７６  保持ブラケット
７７  抜け防止ブラケット
８２  連通孔
【図１】
2005111360.tif 000003
【図２】
2005111360.tif 000004
【図３】
2005111360.tif 000005
【図４】
2005111360.tif 000006